(57)【要約】【課題】載せ置き状態にある２個の箱部の間に大きな空隙が生じることを抑制し、しかも、箱部のパチンコ玉収容スペースを十分に確保することができる玉箱を提供する。【解決手段】上側の玉箱１の補強リブ４２，４２（４１，４１）の下端部を下側の玉箱１の載置凹部５３，５３（５４，５４）に載置することによって、箱部２，２を載せ置きにする。また、嵌め置き時の姿勢から水平に１８０°回転させた上側の玉箱１の補強リブ４１，４１（４２，４２）を下側の玉箱１の挿入溝５１，５１（５２，５２）に挿入することによって、箱部２，２を嵌め置きにする。各補強リブ４１（４２）は箱部２の外面に突設されており、箱部２内部を狭めることはない。各挿入溝５１（５２）及び各載置凹部５４（５３）は箱部２内面に形成されているが、箱部２外面に凹部が存在しないため、載せ置き状態にある箱部２，２の内面と外面との間に大きな空隙は生じない。【選択図】図９
2009100791.tif 000002
【特許請求の範囲】
【請求項１】
パチンコ玉を収容すべく、底板と、該底板を囲繞し、該底板に対して傾斜している側壁板とを有して倒立錐台殻状をなし、前記底板に対向して開口が形成されている箱部、及び、
前記側壁板の外面に、深さ方向に沿って夫々形成されており、前記底板に沿う方向に互いに適長離隔配置されている少なくとも３個の側壁リブ
を備え、
パチンコ玉を収容していない前記箱部に他の箱部を嵌め込んで重ね置く嵌め置きすることを可能にしてあり、
更に、パチンコ玉の有無に関わらず、前記箱部に他の箱部を嵌め込まず重ね置く載せ置きすることを可能にしてある玉箱であって、
各側壁リブに対応して、前記側壁板の内面に、前記開口の周縁部から深さ方向に沿って形成されており、前記箱部に他の箱部を嵌め置きする際に該他の箱部の側壁リブが挿入される挿入溝、及び、
平面視の配置位置が各挿入溝に対して前記開口の中心位置について所定角度回転した位置になるよう前記周縁部に形成されており、前記箱部に、前記底板の内面とその底板の外面とを対面させて他の箱部を載せ置きする際に該他の箱部の側壁リブの底板の側の端部が載置される載置凹部
を備えることを特徴とする玉箱。
【請求項２】
前記側壁板に設けられている２個の取っ手を更に備え、
前記側壁リブは、前記取っ手を補強すべく前記側壁板の外面に形成されていることを特徴とする請求項１に記載の玉箱。
【請求項３】
前記箱部は倒立四角錐台殻状をなし、前記底板及び前記開口夫々は長方形状であって、
前記側壁リブ、前記挿入溝及び前記載置凹部夫々は前記開口の短辺に対応する２枚の側壁板に配されており、
前記載置凹部は、平面視の配置位置が各挿入溝に対して前記開口の中心位置について点対称になるよう前記周縁部に形成されていることを特徴とする請求項１又は２に記載の玉箱。
【請求項４】
前記側壁リブ、前記挿入溝及び前記載置凹部夫々は前記側壁板に各２個配されており、
一の短辺に対応する側壁板には、２個の前記挿入溝の間に２個の前記載置凹部が配されており、
他の短辺に対応する側壁板には、２個の前記載置凹部の間に２個の前記挿入溝が配されていることを特徴とする請求項３に記載の玉箱。
【請求項５】
前記周縁部から深さ方向に沿って突出しており、前記開口からパチンコ玉が無用に零れ落ちることを抑制するための第１周縁リブと、
前記周縁部から深さ方向に沿って、前記第１周縁リブよりも長い突出量を有して突出しており、前記第１周縁リブに沿って形成されている第２周縁リブと
を更に備え、
前記箱部に、前記底板の内面とその底板の内面とを対面させて他の箱部を載せ置きする際に、２個の箱部の第１周縁リブの先端同士が対向配置され、一方の箱部の第２周縁リブの先端が他方の箱部の周縁部に対向配置されるようにしてあることを特徴とする請求項１から４の何れかひとつに記載の玉箱。
【請求項６】
前記底板の外面に突設されている第１脚部及び第２脚部の組を少なくとも２組と、
パチンコ玉が帯びている静電気を放電すべく、前記箱部に収容されたパチンコ玉の一部が前記第１脚部の先端から露出することが可能なように前記底板及び各第１脚部を貫通している放電孔と
を更に備え、
前記箱部を、前記外面とその底板の外面とを対面させて他の箱部に載せ置きする際に、一方の箱部の第２脚部が他方の箱部の放電孔へ挿入されるようにしてあることを特徴とする請求項１から５の何れかひとつに記載の玉箱。
【発明の詳細な説明】
【技術分野】
【０００１】
本発明は、パチンコ玉を収容するための箱部に、他の玉箱の箱部を嵌め置き又は載せ置きすることが可能にしてある玉箱に関する。
【背景技術】
【０００２】
例えばパチンコ店では、パチンコ玉を収容するための玉箱が使用される。一般的な玉箱は、天面が長方形状の開口となっている倒立四角錐台殻状の箱部と、箱部の開口の長手方向の両側（以下、左右という）に設けられている２個の取っ手とを備え、箱部が空の場合は、箱部の開口を通して他の玉箱の箱部を嵌め込んで重ね置く（即ち嵌め置きする）ことが可能である。このため、例えばパチンコ店の店員が複数個の空箱同士をコンパクトに取りまとめて保管することができる。
更に玉箱は、箱部にパチンコ玉が収容されているか否かに関わらず、箱部に他の玉箱の箱部を嵌め込まずに重ね置く（即ち載せ置きする）ことが可能である。このため、例えばパチンコ遊戯中の遊戯者の傍らに、パチンコ玉で満杯になった玉箱同士を複数個積み重ねておくことができる。
【０００３】
従来の玉箱は、箱部の左右の側壁板が、右側壁板の凹部（及び凸部）と左側壁板の凸部（及び凹部）とが対向するよう短手方向に波形に形成されており、一方の箱部内面の凹部（及び凸部）に、他方の箱部外面の凸部（及び凹部）を嵌合させることによって、２個の玉箱が嵌め置きされる。また、一方の箱部を、嵌め置きの場合とは左右の向きを反転させて、一方の箱部内面の凸部の上に、他方の箱部外面の凸部を載置することによって、２個の玉箱が載せ置きされる（特許文献１参照）。
【特許文献１】特開２００５−１３３３０号公報
【発明の開示】
【発明が解決しようとする課題】
【０００４】
しかしながら、特許文献１に開示されている玉箱同士を載せ置きした場合、一方の箱部内面の凹部と他方の箱部外面の凹部とが対向するため、２個の凹部間に大きな空隙が生じる。従って、下側の玉箱がパチンコ玉で満杯であると、凹部間の空隙に配されたパチンコ玉を上側の玉箱が噛んで、載せ置き状態が不安定になり易い。また、この空隙から下側の玉箱に収容されているパチンコ玉の量を覗き見ることができるため、このような玉箱は、出玉アピールのための空積み演出には不向きである。
更に、特許文献１に開示されている玉箱は、箱部のパチンコ玉収容スペースに側壁板の一部が突出する形状であるため、パチンコ玉の収容量が少ない。
【０００５】
ところで、従来の玉箱において、左右の取っ手を補強するために、各取っ手につき２個の補強リブが、側壁板の外面に形成されていることがある。
【０００６】
本発明は斯かる事情に鑑みてなされたものであり、その主たる目的は、箱部に他の箱部を嵌め置きする際に、箱部の側壁板の内面に形成されている挿入溝に側壁リブを挿入し、箱部に他の箱部を載せ置きする際に、箱部の開口の周縁部に形成されている載置凹部に側壁リブを載置する構成とすることにより、載せ置き状態にある箱部同士の間に大きな空隙が生じることを抑制し、しかも、箱部のパチンコ玉収容スペースを十分に確保することができる玉箱を提供することにある。
【０００７】
本発明の他の目的は、嵌め置きする際に、取っ手を補強する側壁リブを挿入溝に挿入し、載せ置きする際に、この側壁リブを載置凹部に側壁リブを載置する構成とすることにより、載せ置きのために一般的な補強リブを有効利用することができる玉箱を提供することにある。
【０００８】
本発明の他の目的は、載置凹部が、各挿入溝に対して開口の中心位置について点対称になるよう形成されていることにより、一方の箱部を左右逆転させることで嵌め置きと載せ置きとを切り替えることができる玉箱を提供することにある。
【０００９】
本発明の他の目的は、２個の挿入溝と２個の載置凹部との位置関係が一の短辺と他の短辺とで逆転させてあることにより、載置凹部同士を可及的離隔させて、載せ置きした場合に安定的に箱部を４点支持することができる玉箱を提供することにある。
【００１０】
本発明の他の目的は、箱部の開口からパチンコ玉が無用に零れ落ちることを抑制するための第１周縁リブに沿って第２周縁リブを設け、一の箱部に、天地逆転させた他の箱部を載せ置きする際、第１周縁リブの先端同士を対向配置し、一方の箱部の第２周縁リブの先端と他方の箱部の周縁部とを対向配置する構成とすることにより、第１周縁リブを有効利用して、空箱の箱部を他の箱部の蓋として用いることができる玉箱を提供することにある。
【００１１】
本発明の更に他の目的は、パチンコ玉が帯びている静電気を放電するための放電孔が形成されている第１脚部、及び第２脚部が底板の外面に突設されており、天地逆転させた一の箱部に、他の箱部を載せ置きする際、一方の箱部の放電孔に他方の箱部の第２脚部を挿入する構成とすることにより、放電孔を有効利用して、空箱の箱部を他の箱部の台として用いることができる玉箱を提供することにある。
【課題を解決するための手段】
【００１２】
第１発明に係る玉箱は、パチンコ玉を収容すべく、底板と、該底板を囲繞し、該底板に対して傾斜している側壁板とを有して倒立錐台殻状をなし、前記底板に対向して開口が形成されている箱部、及び、前記側壁板の外面に、深さ方向に沿って夫々形成されており、前記底板に沿う方向に互いに適長離隔配置されている少なくとも３個の側壁リブを備え、パチンコ玉を収容していない前記箱部に他の箱部を嵌め込んで重ね置く嵌め置きすることを可能にしてあり、更に、パチンコ玉の有無に関わらず、前記箱部に他の箱部を嵌め込まず重ね置く載せ置きすることを可能にしてある玉箱であって、各側壁リブに対応して、前記側壁板の内面に、前記開口の周縁部から深さ方向に沿って形成されており、前記箱部に他の箱部を嵌め置きする際に該他の箱部の側壁リブが挿入される挿入溝、及び、平面視の配置位置が各挿入溝に対して前記開口の中心位置について所定角度回転した位置になるよう前記周縁部に形成されており、前記箱部に、前記底板の内面とその底板の外面とを対面させて他の箱部を載せ置きする際に該他の箱部の側壁リブの底板の側の端部が載置される載置凹部を備えることを特徴とする。
【００１３】
第２発明に係る玉箱は、前記側壁板に設けられている２個の取っ手を更に備え、前記側壁リブは、前記取っ手を補強すべく前記側壁板の外面に形成されていることを特徴とする。
【００１４】
第３発明に係る玉箱は、前記箱部は倒立四角錐台殻状をなし、前記底板及び前記開口夫々は長方形状であって、前記側壁リブ、前記挿入溝及び前記載置凹部夫々は前記開口の短辺に対応する２枚の側壁板に配されており、前記載置凹部は、平面視の配置位置が各挿入溝に対して前記開口の中心位置について点対称になるよう前記周縁部に形成されていることを特徴とする。
【００１５】
第４発明に係る玉箱は、前記側壁リブ、前記挿入溝及び前記載置凹部夫々は前記側壁板に各２個配されており、一の短辺に対応する側壁板には、２個の前記挿入溝の間に２個の前記載置凹部が配されており、他の短辺に対応する側壁板には、２個の前記載置凹部の間に２個の前記挿入溝が配されていることを特徴とする。
【００１６】
第５発明に係る玉箱は、前記周縁部から深さ方向に沿って突出しており、前記開口からパチンコ玉が無用に零れ落ちることを抑制するための第１周縁リブと、前記周縁部から深さ方向に沿って、前記第１周縁リブよりも長い突出量を有して突出しており、前記第１周縁リブに沿って形成されている第２周縁リブとを更に備え、前記箱部に、前記底板の内面とその底板の内面とを対面させて他の箱部を載せ置きする際に、２個の箱部の第１周縁リブの先端同士が対向配置され、一方の箱部の第２周縁リブの先端が他方の箱部の周縁部に対向配置されるようにしてあることを特徴とする。
【００１７】
第６発明に係る玉箱は、前記底板の外面に突設されている第１脚部及び第２脚部の組を少なくとも２組と、パチンコ玉が帯びている静電気を放電すべく、前記箱部に収容されたパチンコ玉の一部が前記第１脚部の先端から露出することが可能なように前記底板及び各第１脚部を貫通している放電孔とを更に備え、前記箱部を、前記外面とその底板の外面とを対面させて他の箱部に載せ置きする際に、一方の箱部の第２脚部が他方の箱部の放電孔へ挿入されるようにしてあることを特徴とする。
【００１８】
第１発明にあっては、箱部、少なくとも３個の側壁リブ、並びに夫々側壁リブの個数と同数の挿入溝及び載置凹部を備える。
箱部は底板と、この底板に対して傾斜している側壁板とを有して、倒立錐台殻状をなし、箱部の底板に対向して開口が形成されている。
箱部の底板及び側壁板に囲繞された空間は、パチンコ玉の収容スペースとして用いられ、パチンコ玉の収容スペースに対し、箱部の開口を通してパチンコ玉が出し入れされる。
【００１９】
各側壁リブは、側壁板の外面に、箱部の深さ方向に沿って形成されている。また、側壁リブ間の離隔距離が極端に短いと、後述するように載せ置きした場合に箱部が安定して載置されないことがあるため、側壁リブ同士は、底板に沿う方向に互いに適長離隔配置されている。
各挿入溝は側壁リブに対応して、側壁板の内面に、開口の周縁部から深さ方向に沿って形成されている。この挿入溝に、他の箱部の側壁リブを挿入することによって、パチンコ玉を収容していない箱部に他の箱部を嵌め置きする（即ち嵌め込んで重ね置く）ことが可能となる。
【００２０】
各載置凹部は開口の周縁部に形成されている。この載置凹部に、他の箱部の側壁リブの底板側の端部を載置することによって、パチンコ玉の有無に関わらず、箱部に他の箱部を載せ置きする（即ち嵌め込まず重ね置く）ことが可能となる。ここで、各載置凹部は平面視の配置位置が挿入溝に対して開口中心位置について所定角度回転した位置になるよう形成されている。つまり、２個の箱部の何れか一方を、嵌め置きの状態から開口中心位置周りに所定角度回転させた状態で、一の箱部の載置凹部に他の箱部の側壁リブが載置される。
この所定角度は、箱部の底板及び開口夫々が例えば長方形状である場合は１８０°、円形状である場合は９０°、１８０°等に設定することが可能である。
【００２１】
ところで、箱部同士を嵌め置きするために、箱部の開口は、底板の外寸に比べて僅かに大きい内寸を有することが好ましい。
仮に、底板の外寸に比べて極端に大きい内寸を有する場合、下側の玉箱の底板内面と上側の玉箱の底板外面とを対面させて箱部同士を載せ置きした場合に、下側の箱部の開口周縁部と上側の箱部との間に大きな空隙（具体的にはパチンコ玉の直径以上の寸法を有する空隙）が形成されるという不都合が生じる。また、上側の箱部の側壁リブを下側の箱部の載置凹部に載置するために、側壁リブの側壁板からの突出長さを長くする必要がある。
【００２２】
第２発明にあっては、２個の取っ手を更に備える。この取っ手は側壁板に設けられており、例えば箱部の開口が長方形状である（即ち箱部が倒立四角錐台殻状をなしている）場合、一般に、開口の短辺に対応する２枚の側壁板に設けられる。
また、一般的な取っ手は、側壁板の外面から突出するように設けられており、側壁リブでこの取っ手の基端部と側壁板とを橋絡することによって取っ手が補強される。
つまり、箱部同士を載せ置きするための側壁リブと取っ手を補強するための補強リブとを兼用することによって、箱部に側壁リブと補強リブとを別途設ける必要がない。
【００２３】
第３発明にあっては、箱部は長方形状の底板と、この底板に対して傾斜している４枚の側壁板とを有して、倒立四角錐台殻状をなし、箱部の底板に対向して長方形状の開口が形成されている。
【００２４】
各側壁リブは、長方形状の開口の短辺に対応する２枚の側壁板の何れかの外面に、箱部の深さ方向に沿って形成されている。各挿入溝は、側壁リブに対応して、開口の短辺に対応する２枚の側壁板の何れかの内面に、開口の周縁部から深さ方向に沿って形成されている。各載置凹部は、開口の短辺に対応する２枚の側壁板の何れかの開口周縁部に形成されている。ここで、各載置凹部は平面視の配置位置が挿入溝に対して開口中心位置について点対称（即ち所定角度１８０°）になるよう形成されている。つまり、２個の箱部の何れか一方を、嵌め置きの状態から開口中心位置周りに１８０°回転させた状態で、一の箱部の載置凹部に他の箱部の側壁リブが載置される。
【００２５】
第４発明にあっては、側壁リブは、長方形状の開口の短辺に対応する各側壁板の外面に２個ずつ形成されている。挿入溝は、側壁リブに対応して、開口の短辺に対応する各側壁板の内面に２個ずつ形成されている。載置凹部は、開口の短辺に対応する各側壁板の開口周縁部に２個ずつ形成されている。
また、一の短辺に対応する側壁板には、２個の挿入溝の間に２個の載置凹部が配されているが、他の短辺に対応する側壁板には、２個の載置凹部の間に２個の挿入溝が配されているため、２個の載置凹部の離隔距離を最大限に離隔させることが可能となる。また、２個の挿入溝を最大限に離隔させて、この２個の挿入溝の間に２個の載置凹部を最大限に離隔させることが可能となる。
【００２６】
第５発明にあっては、第１周縁リブ及び第２周縁リブを更に備える。
第１周縁リブは、箱部の開口の周縁部から深さ方向に沿って突出しており、開口からパチンコ玉が無用に零れ落ちることを抑制する。第１周縁リブは、パチンコ玉が零れ落ちやすい部分にのみ形成されていてもよく、開口の周縁部全体に形成されていてもよい。
各第２周縁リブは、第１周縁リブと同様に、箱部の開口の周縁部から深さ方向に沿って突出しており、しかも、第１周縁リブに沿って形成されている。更に、各第２周縁リブは第１周縁リブよりも長い突出量を有している。
【００２７】
２個の箱部夫々の底板の内面同士を対面させて、２個の箱部の第１周縁リブの先端同士を対向配置し、一方の箱部の第２周縁リブの先端を他方の箱部の周縁部に対向配置することによって、パチンコ玉を収容していない箱部を天地逆転させて、他の箱部に載せ置きすることが可能となる。何故ならば、このように載せ置きされた状態では、一方の箱部の第１周縁リブの内面（又は外面）と他方の箱部の第２周縁リブの外面（又は内面）とが対面しており、たとえ底板に沿う方向の相対移動（即ち横ズレ）が生じても、一方の箱部の第１周縁リブの内面（又は外面）に、他方の箱部の第２周縁リブの外面（又は内面）が当接するため、過剰な横ズレが抑制され、過剰な横ズレによる箱部の脱落が抑制されるからである。
【００２８】
ただし、箱部の脱落を略完全に抑制するためには、第１周縁リブと第２周縁リブとの当接方向が４方向（例えば前後左右４方向）以上になるよう第１周縁リブ及び／又は第２周縁リブの形状、個数、配置等を工夫する必要がある。
【００２９】
第６発明にあっては、第１脚部、第２脚部、及び放電孔を更に備える。
第１脚部及び第２脚部の組は、夫々底板の外面に複数組突設されている。
放電孔は、箱部に収容されたパチンコ玉の一部が第１脚部の先端から露出することが可能なように、底板及び第１脚部夫々を貫通して形成されている。つまり放電孔は、底板の内面と第１脚部の先端とに夫々開口しており、箱部の内部から放電孔へ転がり込んで第１脚部の先端から露出したパチンコ玉が、例えばアース用の導電マットに接触することによって、パチンコ玉が帯びている静電気が外部へ放電される。また、放電孔から箱部の外部へパチンコ玉が零れ落ちないよう、一般に、放電孔の第１脚部先端側の開口の内径はパチンコ玉の直径以下に設けられる。
【００３０】
ここで、２個の箱部夫々の底板の外面同士を対面させて、一方の箱部の第２脚部を他方の箱部の放電孔へ挿入することによって、パチンコ玉を収容していない箱部を天地逆転させた状態で、この箱部の底板側に、他の箱部を載せ置きすることが可能となる。
このように載せ置きされた状態では、底板に沿う方向の相対移動（即ち横ズレ）が生じても、一方の箱部の放電孔の内面に、他方の箱部の第２脚部の外面が当接するため、過剰な横ズレが抑制され、過剰な横ズレによる箱部の脱落が抑制される。
【発明の効果】
【００３１】
第１発明の玉箱による場合、挿入溝と載置凹部とが所定角度回転した位置に配置されているため、一方の箱部を所定角度回転させることで嵌め置きと載せ置きとを容易に切り替えることができる。更に、一方の箱部の少なくとも３個の側壁リブを、他方の箱部の載置凹部に載置することによって、載せ置きされる箱部を安定的に少なくとも３点支持することができる。更にまた、一方の箱部の側壁リブを、他方の箱部の挿入溝へ挿入することによって、側壁リブが嵌め置きを阻害することを抑制することができる。
【００３２】
また、側壁板の外面に凹部が形成されていないため、箱部同士を載せ置きすることによって、例えば側壁板内面の挿入溝と側壁板外面の凹部との間に大きな空隙が生じることがない。
従って、一方の箱部の上に他方の箱部を載せ置きした場合に、生じた空隙に配されたパチンコ玉を上側の箱部が噛んで載せ置き状態が不安定になることを抑制することができる。また、生じた空隙から下側の箱部に収容されているパチンコ玉の量が覗き見られることを抑制することができるため、このような玉箱は空積み演出に好適である。
また、側壁リブは箱部内部に突出する形状ではないため、箱部に、十分な広さのパチンコ玉収容スペースを確保することができる。
【００３３】
第２発明の玉箱による場合、側壁リブを、補強のため及び載せ置きのための両方に利用することができる。このため、箱部の側壁板の外面に形成されるリブの個数を減少させることができる。この結果、玉箱を形成する材料を低減させることができ、しかも、玉箱の形状を単純にして、玉箱を製造し易くすることができる。更に、取っ手が設けられているため、玉箱の持ち運びが容易である。
【００３４】
第３発明の玉箱による場合、挿入溝と載置凹部とが点対称に配置されているため、一方の箱部を１８０°回転させることで、即ち一方の箱部を左右逆転させることで、嵌め置きと載せ置きとを容易に切り替えることができる。また、平面視長方形状の箱部同士を、嵌め置きするときでも載せ置きするときでも安定的に重ね合わせることができる。
【００３５】
第４発明の玉箱による場合、１枚の側壁板について２個の載置凹部間に２個の挿入溝を配し、この側壁板に対向する側壁板について２個の挿入溝間に２個の載置凹部を配するため、例えば載置凹部と挿入溝とを交互に配する場合に比べて、載置凹部同士を可及的離隔させて、載せ置きした場合に安定的に箱部を４点支持することができる。
また、平面視長方形状の箱部に、長辺方向に離隔して２個ずつ側壁リブ、挿入溝、及び載置凹部が配されるため、箱部の形状を略シンメトリックにすることができ、玉箱の美観を向上させることができる。
【００３６】
第５発明の玉箱による場合、パチンコ玉を収容していない箱部を天地逆転させて、他の箱部に載せ置きすることができる。つまり、パチンコ玉を収容していない箱部を、他の箱部の蓋として用いることができる。この結果、パチンコ玉の零れ落ちを更に抑制することができ、また、玉箱からのパチンコ玉の盗難を抑制することができる。
しかも第１周縁リブを、玉零れ抑制のため及び載せ置きされている箱部の脱落抑制のための両方に利用することができる。
【００３７】
第６発明の玉箱による場合、パチンコ玉を収容していない箱部を天地逆転させて、この箱部に他の箱部を載せ置きすることができる。つまり、パチンコ玉を収容していない箱部を、他の箱部の台として用いることができる。このような玉箱は、複数の玉箱を高く積み上げることによる出玉アピールに好適である。
しかも放電孔を、パチンコ玉が帯びている静電気を放電するため及び載せ置きされている箱部の脱落抑制のための両方に利用することができる。
【発明を実施するための最良の形態】
【００３８】
以下、本発明を、その実施の形態を示す図面に基づいて詳述する。
【００３９】
図１は、本発明の実施の形態に係る玉箱の構成を示す斜視図であり、図２及び図３は、この玉箱の底板内面及び底板外面を示す平面図である。また、図４は、この玉箱の長手方向に沿う側壁板を示す側面図であり、図５及び図６は、この玉箱の短手方向に沿う一方及び他方の側壁板を示す側面図である。
図中１は玉箱であり、玉箱１は合成樹脂製であって、パチンコ玉Ｐ，Ｐ，…が収容される倒立四角錐台殻状の箱部２と２個の取っ手３１，３２とが、例えば射出成形によって一体に形成されている。
【００４０】
箱部２は、長方形状の底板２０と、底板２０を囲繞する４枚の倒立台形状の側壁板２１，２２，２３，２４とを有する。箱部２の四隅、即ち側壁板２１，２２，２３，２４同士の連結部分は平面視弧状に形成されている。
箱部２には、底板２０に対向して長方形状の開口２５が形成されており、開口２５の中心位置Ｏ１と底板２０の中心位置Ｏ２とは平面視同一位置に存在する。開口２５は底板２０よりも縦横の寸法が大きく、このため、側壁板２１，２２，２３，２４は、底板２０側から開口２５側へ緩やかに広がるように傾斜している。
【００４１】
以下では、底板２０又は開口２５の長手方向を左右方向といい、短手方向を前後方向という。また、側壁板２１側を左側、側壁板２２側を右側といい、側壁板２３側を手前側、側壁板２４側を後ろ側という。更に、箱部２の深さ方向の開口２５側を天側、底板２０側を地側という。図１〜図６では、天側は上側であり地側は下側であるが、後述する図７のように玉箱１を天地逆転させた場合は、天側は下側であり地側は上側である。
【００４２】
箱部２の開口２５の周縁部２６には、夫々周縁部２６から深さ方向に沿って第１周縁リブ６０及び第２周縁リブ６１，６２，６３，６４が突出している。第１周縁リブ６０は、箱部２に収容されたパチンコ玉Ｐ，Ｐ，…が開口２５から箱部２外部へ無用に零れ落ちることを抑制するためのものであり、周縁部２６全体に亘って環状に形成されている。このため、第１周縁リブ６０は開口２５の長辺及び短辺に沿う平面視直線状の部分と、開口２５の四隅に沿う平面視弧状の部分とを有する。
【００４３】
第２周縁リブ６１，６２，６３，６４夫々は第１周縁リブ６０の四隅の内面に沿って、平面視弧状に形成されている。左手前側の第２周縁リブ６１と右後ろ側の第２周縁リブ６２とは中心位置Ｏ１について平面視点対称（即ち１８０°回転した位置）に配されており、同様に、左後ろ側の第２周縁リブ６３と右手前側の第２周縁リブ６４とは中心位置Ｏ１について平面視点対称に配されている。また、第２周縁リブ６１，６２，６３，６４夫々の周縁部２６からの突出量は、第１周縁リブ６０の周縁部２６からの突出量よりも長い。
【００４４】
底板２０の外面２０ｂには、夫々ボス状の第１脚部７１及び第２脚部７２の組が２組突設されている。一組の第１脚部７１と第２脚部７２とは、互いに外面２０ｂからの突設量が等しく、第１脚部７１，７１及び第２脚部７２，７２夫々の中心位置Ｏ２からの離隔距離は互いに等しい。また、第１脚部７１，７１同士（及び第２脚部７２，７２）同士は中心位置Ｏ２について平面視点対称に配されている。このため、例えば床に第１脚部７１，７１及び第２脚部７２，７２を載置した場合、第１脚部７１，７１及び第２脚部７２，７２によって箱部２が安定的に支持される。
【００４５】
更に、底板２０及び第１脚部７１，７１を貫通して、放電孔７３，７３が形成されている。各放電孔７３の底板２０の内面２０ａ側の開口はパチンコ玉Ｐの直径よりも十分に大きく、第１脚部７１先端側の開口はパチンコ玉Ｐの直径よりも小さい。また、放電孔７３の内面は漏斗状に形成されており、箱部２に収容されたパチンコ玉Ｐは放電孔７３の内部へ容易に転がり込んで、このパチンコ玉Ｐの一部が第１脚部７１の先端から露出する。
例えば導電性を有する床に第１脚部７１，７１及び第２脚部７２，７２を載置した場合、第１脚部７１の先端から露出したパチンコ玉Ｐが床に接触して、このパチンコ玉Ｐを介し、箱部２に収容されているパチンコ玉Ｐ，Ｐ，…が帯びている静電気が床へ放電される。
【００４６】
また、箱部２は、底板２０が上げ底になるよう、側壁板２１，２２，２３，２４夫々を地側方向へ延設してある。側壁板２１，２２，２３，２４夫々の外面２０ｂからの延設長さは第１脚部７１，７１及び第２脚部７２，７２夫々の外面２０ｂからの突設長さよりも僅かに短いため、第１脚部７１，７１及び第２脚部７２，７２を用いた載置を側壁板２１，２２，２３，２４が阻害することはない。
箱部２は上げ底に設けられているため、少量のパチンコ玉Ｐ，Ｐ，…を収納すると満杯になる。この結果、遊戯者に対して出玉感を演出することができる。また、側壁板２１，２２，２３，２４の延設部分が、第１脚部７１，７１及び第２脚部７２，７２を使用者の目から隠すため、玉箱１の美観が向上される。
【００４７】
側壁板２１，２２，２３，２４の地側端部は側壁板２１，２２，２３，２４に沿って段状であって、このため側壁板２１，２２，２３，２４の地側端部の一部には凸部２１ｃ，２２ｃ，２３ｃ，２４ｃが夫々形成されており、残部には凹部２１ｄ，２２ｄ，２３ｄ，２４ｄが夫々形成されている。凸部２１ｃの形状と凹部２１ｄ，２２ｄ夫々の形状とは対応するようにしてあり、同様に、凸部２２ｃの形状と凹部２１ｄ，２２ｄ夫々の形状とは対応するようにしてある。また、凸部２３ｃの形状と凹部２３ｄ，２４ｄ夫々の形状とは対応するようにしてあり、同様に、凸部２４ｃの形状と凹部２３ｄ，２４ｄ夫々の形状とは対応するようにしてある。
【００４８】
凸部２１ｃと凸部２２ｃとは、中心位置Ｏ２について平面視点対称に配されており、同様に、凸部２３ｃと凸部２４ｃとは、中心位置Ｏ２について平面視点対称に配されている。凹部２１ｄと凹部２２ｄとは、中心位置Ｏ２について平面視点対称に配されており、同様に、凹部２３ｄと凹部２４ｄとは、中心位置Ｏ２について平面視点対称に配されている。
【００４９】
取っ手３１，３２は、夫々側壁板２１，２２の外面２１ｂ，２２ｂから突出するように設けられている。即ち、取っ手３１，３２は開口２５の両側に対向配置されている。
取っ手３１の先端部は玉箱１を運搬する運搬者が把持するための把持部３１ａであり、把持部３１ａの前後方向中央部の地側の面には、運搬者の指を置くための４個の凹面状の指置き３１ｂ，３１ｂ，…が形成されている。また、把持部３１ａの前後方向の長さは、取っ手３１の基端部の前後方向の長さに等しい。
取っ手３２は取っ手３１と略同様の構成であり、把持部３２ａ及び指置き３２ｂ，３２ｂ，…を有する。
ただし、指置き３１ｂ，３１ｂ，…全体の前後方向の長さと指置き３２ｂ，３２ｂ，…全体の前後方向の長さとは等しいが、把持部３１ａの前後方向の長さは、把持部３２ａの前後方向の長さより長い。
【００５０】
側壁板２１の外面２１ｂには、側壁リブとしての２個の補強リブ４１，４１が夫々深さ方向に沿って互いに平行に形成されている。取っ手３１は外面２１ｂから突出するように設けられているため、補強リブ４１，４１で取っ手３１の基端部と側壁板２１とを橋絡することによって取っ手３１が補強される。また、補強リブ４１，４１によって、側壁板２１も補強される。
補強リブ４１，４１夫々の天側端部は取っ手３１の基端部の前後方向端部に連結されている。従って、補強リブ４１，４１同士は、底板２０に沿う方向に、把持部３１ａの前後方向に等しい長さだけ離隔配置されている。また、補強リブ４１，４１夫々の地側端部は側壁板２１の地側端部の略同一面上に配されている。
【００５１】
側壁板２２の外面２２ｂには、補強リブ４１，４１と略同様の構成の２個の補強リブ４２，４２が形成されている。ただし、補強リブ４２，４２同士は、把持部３２ａの前後方向の長さに等しい長さだけ離隔配置されているため、補強リブ４２，４２間の離隔距離は補強リブ４１，４１間の離隔距離よりも短い。
【００５２】
側壁板２１の内面２１ａには、周縁部２６から深さ方向に沿って２個の挿入溝５１，５１が形成されている。挿入溝５１，５１は補強リブ４１，４１に対応しており、このため、挿入溝５１，５１同士は、底板２０に沿う方向に、把持部３１ａの前後方向の長さに等しい長さだけ離隔配置されている。
各挿入溝５１を設けるために、側壁板２１は外面２１ｂの一部が凸状に形成されており、凸状に形成されている挿入溝５１の外面５１ａの地側端部の配置位置は、補強リブ４１の天側端部の配置位置に等しい。
【００５３】
側壁板２２の内面２２ａには、挿入溝５１，５１と略同様の構成の２個の挿入溝５２，５２が形成されている。ただし、挿入溝５２，５２は補強リブ４２，４２に対応しており、このため、挿入溝５２，５２同士は、底板２０に沿う方向に、把持部３２ａの前後方向の長さに等しい長さだけ離隔配置されている。
各挿入溝５２を設けるために、側壁板２２は外面２２ｂの一部が凸状に形成されており、凸状に形成されている挿入溝５２の外面５２ａの地側端部の配置位置は、補強リブ４２の天側端部の配置位置に等しい。
【００５４】
挿入溝５１，５１に隣接して載置凹部５３，５３が周縁部２６の内面２１ａ側に形成されており、挿入溝５２，５２に隣接して載置凹部５３，５３が周縁部２６の内面２２ａ側に形成されている。ここで、載置凹部５３，５３と挿入溝５２，５２とは、中心位置Ｏ１について平面視点対称に配されており、載置凹部５４，５４と挿入溝５１，５１とは、中心位置Ｏ１について平面視点対称に配されている。
このため、載置凹部５３，５３は、前後方向に隣り合う挿入溝５１，５１間の内側に配され、載置凹部５４，５４は、前後方向に隣り合う挿入溝５２，５２間の外側に配される（換言すれば挿入溝５２，５２は、前後方向に隣り合う載置凹部５４，５４間の内側に配される）。
【００５５】
以上のように構成されている玉箱１，１，…は、略シンメトリカルであって美観が向上されており、また、パチンコ遊戯の遊戯者、パチンコ店の店員等によって重ね置きされる。以下では２個の玉箱１，１を重ね置く場合を例示する。
【００５６】
図７は、本発明の実施の形態に係る玉箱を２個重ね置いた状態を模式的に示す断面図である。
図７（ａ）は、床に載置されている玉箱１（以下、下側の玉箱１という）の箱部２に、他の玉箱１（以下、上側の玉箱１という）の箱部２を嵌め置きした状態を示している。この場合、少なくとも下側の玉箱１は空箱であり、下側の底板２０の内面２０ａと上側の底板２０の外面２０ｂとが接近して対面する。
図７（ｂ）は、下側の玉箱１の箱部２に、上側の玉箱１の箱部２を載せ置きした状態を示している。この場合、玉箱１，１は空箱でもパチンコ玉Ｐ，Ｐ，…が収納されていてもよく、下側の底板２０の内面２０ａと上側の底板２０の外面２０ｂとが離隔した状態で（又はパチンコ玉Ｐ，Ｐ，…を介在して離隔した状態で）対面する。
【００５７】
図７（ｃ）は、下側の玉箱１の箱部２に、天地逆転させた上側の玉箱１の箱部２を蓋として用いて載せ置きした状態を示している。この場合、少なくとも上側の玉箱１は空箱であり、下側の底板２０の内面２０ａと上側の底板２０の内面２０ａとが離隔した状態で（又はパチンコ玉Ｐ，Ｐ，…を介在して離隔した状態で）対面する。
図７（ｄ）は、天地逆転させた下側の玉箱１の箱部２を台として用いて、上側の玉箱１の箱部２を載せ置きした状態を示している。この場合、少なくとも下側の玉箱１は空箱であり、下側の底板２０の外面２０ｂと上側の底板２０の外面２０ｂとが接近して対面する。
【００５８】
図８は、本発明の実施の形態に係る玉箱を２個嵌め置きする手順を説明する模式的な側面図である（図７（ａ）参照）。
玉箱１，１の使用者は、第１脚部７１，７１及び第２脚部７２，７２を用いて床に載置されている下側の玉箱１の上方に、下側の底板２０の内面２０ａと上側の底板２０の外面２０ｂとを対面させた状態で上側の玉箱１を配する。このとき使用者は、上側の箱部２の取っ手３１，３２が下側の箱部２の取っ手３１，３２の上方に位置するよう配する。更に使用者は、上側の補強リブ４１，４１を下側の挿入溝５１，５１へ、上側の補強リブ４２，４２を下側の挿入溝５２，５２へ、夫々挿入することによって、上側の箱部２を下側の箱部２の開口２５から嵌め入れる。
【００５９】
このようにして、パチンコ玉Ｐ，Ｐ，…を収容していない下側の箱部２に上側の箱部２を嵌め置きすることが可能となる。なお、上下の底板２０，２０の間に十分な空隙が存在する場合、この空隙にパチンコ玉Ｐ，Ｐ，…が収容されていてもよい。
箱部２，２，…が嵌め置きされた玉箱１，１，…はコンパクトにまとまるため、運搬、保管等が容易である。また、各補強リブ４１，４２は箱部２の外面から突出しているが、対応する挿入溝５１，５２へ挿入されるため、嵌め置きを阻害することはない。しかも、箱部２の外面から突出している各補強リブ４１，４２は、パチンコ玉収容スペースである箱部２内部の容積を減少させることはない。
【００６０】
図９は、本発明の実施の形態に係る玉箱を２個載せ置きする手順を説明する模式的な側面図である（図７（ｂ）参照）。
使用者は、第１脚部７１，７１及び第２脚部７２，７２を用いて床に載置されている下側の玉箱１の上方に、下側の底板２０の内面２０ａと上側の底板２０の外面２０ｂとを対面させた状態で上側の玉箱１を配する。このとき使用者は、上側の箱部２の取っ手３１，３２が下側の箱部２の取っ手３２，３１の上方に位置するよう配する。即ち使用者は、上側の玉箱１を、嵌め置きする場合とは１８０°水平に回転させた状態（換言すれば、左右逆転させた状態）で配する。更に使用者は、上側の補強リブ４１，４１の下端部を下側の載置凹部５４，５４に、上側の補強リブ４２，４２の下端部を下側の載置凹部５３，５３に、夫々載置する。
【００６１】
このようにして、パチンコ玉Ｐ，Ｐ，…の有無に関わらず、下側の箱部２に上側の箱部２を載せ置きすることが可能となる。ここで、載置凹部５３，５３同士及び載置凹部５４，５４同士は可及的離隔配置されているため、載せ置きされている箱部２は安定して４点支持される。
箱部２外面に凹部が存在しないため、下側の箱部２の各挿入溝５１，５２及び各載置凹部５３，５４と上側の箱部２との間にパチンコ玉Ｐの直径以上の寸法を有する大きな空隙は生じない。従って、この空隙に位置したパチンコ玉Ｐを上側の箱部が噛むことはない。つまり、箱部２，２，…が載せ置きされた玉箱１，１，…は安定して高く積み上げることが容易である。また、この空隙から下側の箱部２内部の様子が覗き見られることはない。つまり、玉箱１，１，…は出玉アピールのための空積み演出に好適である。
【００６２】
図１０及び図１１は、本発明の実施の形態に係る玉箱を蓋として用いた場合の開口周縁部近傍を示す模式的な平面図及び断面図である（図７（ｃ）参照）。
使用者は、第１脚部７１，７１及び第２脚部７２，７２を用いて床に載置されている下側の玉箱１の上方に、下側の底板２０の内面２０ａと上側の底板２０の内面２０ａとを対面させた状態で、パチンコ玉Ｐ，Ｐ，…を収容していない上側の玉箱１を配する。このとき使用者は、上側の箱部２の取っ手３１，３２が下側の箱部２の取っ手３１，３２の上方に位置するよう配するか、上側の箱部２の取っ手３１，３２が下側の箱部２の取っ手３２，３１の上方に位置するよう配する。図１０には、取っ手３１同士が深さ方向に並置されるよう配した場合が例示してある。
【００６３】
更に使用者は、上下の箱部２，２の第１周縁リブ６０，６０の先端同士が対向配置され、上側（及び下側）の箱部２の第２周縁リブ６１，６２，６３，６４夫々の先端が下側（及び上側）の箱部２の周縁部２６に対向配置され、且つ、上側（及び下側）の第２周縁リブ６１，６２，６３，６４夫々の外面が下側（及び上側）の第１周縁リブ６０の内面に沿うように配置する。この結果、上側（及び下側）の第２周縁リブ６１，６２，６３，６４は下側（及び上側）の第２周縁リブ６３，６４，６１，６２に隣接する。
以上のように重ね置くことによって、下側の箱部２の周縁部２６上に上側の箱部２の周縁部２６が対向配置されて、上側の箱部２が下側の箱部２の蓋として機能する。
【００６４】
たとえ上側の箱部２が、下側の箱部２に対して前後方向及び／又は左右方向に横ズレを生じたとしても、上側（及び下側）の第２周縁リブ６１，６２，６３，６４の少なくとも１つの外面が、下側（及び上側）の第１周縁リブ６０の内面に当接するため、上側の箱部２が下側の箱部２上から脱落することが抑制される。
箱部２に蓋が設けられると、箱部２内部を無用に覗き込まれること、箱部２内部からパチンコ玉Ｐ，Ｐ，…が盗まれること等が抑制される。
【００６５】
図１２は、本発明の実施の形態に係る玉箱を台として用いた場合の底板外面近傍を示す模式的な側断面図である（図７（ｄ）参照）。
使用者は、パチンコ玉Ｐ，Ｐ，…を収容しておらず、底板２０の内面２０ａが床に対面するよう床に載置されている下側の玉箱１の上方に、下側の底板２０の外面２０ｂと上側の底板２０の外面２０ｂとを対面させた状態で上側の玉箱１を配する。このとき使用者は、上側の箱部２の取っ手３１，３２が下側の箱部２の取っ手３１，３２の上方に位置するよう配するか、上側の箱部２の取っ手３１，３２が下側の箱部２の取っ手３２，３１の上方に位置するよう配する。図１０には、取っ手３１と取っ手３２とが上下方向に並置されるよう配した場合が例示してある。
【００６６】
更に使用者は、上側（及び下側）の箱部２の凸部２１ｃ，２２ｃ，２３ｃ，２４ｃを下側（及び上側）の箱部２の凹部２２ｄ，２１ｄ，２３ｄ，２４ｄに配設し、且つ、上側（及び下側）の第２脚部７２，７２を、下側（及び上側）の第１脚部７１，７１の先端側から放電孔７３，７３へ挿入する。このとき、各第１脚部７１の放電孔７３への挿入量は、凸部２１ｃ，２２ｃ，２３ｃ，２４ｃと凹部２１ｄ，２２ｄ，２３ｄ，２４ｄとの段差の深さ方向長さに等しい。
このようにして、下側の箱部２が上側の箱部２の台として機能する。
【００６７】
たとえ上側の箱部２が、下側の箱部２に対して前後方向及び／又は左右方向に横ズレを生じたとしても、上側（及び下側）の第２脚部７２，７２の外面が、下側（及び上側）の放電孔７３，７３の内面に当接するため、上側の箱部２が下側の箱部２上から脱落することが抑制される。
【００６８】
なお、玉箱１は、箱部２に補強リブと別個の側壁リブ、又は５個以上の側壁リブを備えてもよいが、形状を単純にして玉箱１を製造し易くし、また、材料である合成樹脂を最小限に抑えるためには、４個の側壁リブを備えることが好ましい。同様の理由で、第１脚部７１及び第２脚部７２の組も２組が好ましい。
また、第２周縁リブ６１，６２，６３，６４の個数は４個に限定されるものではなく、更に、第２周縁リブ６１，６２，６３，６４が第１周縁リブ６０の外面側に設けられていてもよい。
更にまた、取っ手３１，３２の構成は実施の形態に示す構成に限定されず、例えば側壁板２１，２２に形成されている指入れ穴のような構成でもよい。この場合、各補強リブ４１，４２は、側壁板２１，２２を補強することによって間接的に取っ手３１，３２を補強する。
【図面の簡単な説明】
【００６９】
【図１】本発明の実施の形態に係る玉箱の構成を示す斜視図である。
【図２】本発明の実施の形態に係る玉箱の底板内面を示す平面図である。
【図３】本発明の実施の形態に係る玉箱の底板外面を示す平面図である。
【図４】本発明の実施の形態に係る玉箱の長手方向に沿う側壁板を示す側面図である。
【図５】本発明の実施の形態に係る玉箱の短手方向に沿う一方の側壁板を示す側面図である。
【図６】本発明の実施の形態に係る玉箱の短手方向に沿う他方の側壁板を示す側面図である。
【図７】本発明の実施の形態に係る玉箱を２個重ね置いた状態を模式的に示す断面図である。
【図８】本発明の実施の形態に係る玉箱を２個嵌め置きする手順を説明する模式的な側面図である。
【図９】本発明の実施の形態に係る玉箱を２個載せ置きする手順を説明する模式的な側面図である。
【図１０】本発明の実施の形態に係る玉箱を蓋として用いた場合の開口周縁部近傍を示す模式的な平面図である。
【図１１】本発明の実施の形態に係る玉箱を蓋として用いた場合の開口周縁部近傍を示す模式的な断面図である。
【図１２】本発明の実施の形態に係る玉箱を台として用いた場合の底板外面近傍を示す模式的な側断面図である。
【符号の説明】
【００７０】
１    玉箱
２    箱部
２０  底板
２０ａ，２１ａ，２２ａ  内面
２０ｂ，２１ｂ，２２ｂ  外面
２１，２２，２３，２４  側壁板
２５  開口
２６  周縁部
４１，４２  補強リブ（側壁リブ）
５１，５２  挿入溝
５３，５４  載置凹部
６０  第１周縁リブ
６１，６２，６３，６４  第２周縁リブ
７１  第１脚部
７２  第２脚部
７３  放電孔
Ｏ１，Ｏ２  中心位置
Ｐ    パチンコ玉
【図１】
2009100791.tif 000003
【図２】
2009100791.tif 000004
【図３】
2009100791.tif 000005
【図４】
2009100791.tif 000006
【図５】
2009100791.tif 000007
【図６】
2009100791.tif 000008
【図７】
2009100791.tif 000009
【図８】
2009100791.tif 000010
【図９】
2009100791.tif 000011
【図１０】
2009100791.tif 000012
【図１１】
2009100791.tif 000013
【図１２】
2009100791.tif 000014